(57)【要約】【課題】本発明の主要な目的は、１つの固定フォーカスビューを含んでいる従来の動作検出デバイスの選択硬直性を解消することである。【解決手段】本発明は、動作検出デバイス１０に関し、レンズアッセンブリ５０は、半球形状又は円筒形状とされ得る。レンズアッセンブリ５０は、所定のフォーカスビューを構成する所定のフォーカスを備えた多数の多面レンズ５２によって形成されている。各フォーカスビューは、範囲／距離、及び角度の検出のために決定される。レンズアッセンブリ５０は、特定のフォーカスビューを選択するために回転され得る。センサーシート４６は、赤外線を受け付るために選択されたフォーカスビューのフォーカスに配置される。レンズアッセンブリ５０の全体又は半分或いは部分は、所定のフォーカスビューを形成するレンズを移動させる。【選択図】図１
2006329970.tif 000002
【特許請求の範囲】
【請求項１】
赤外線動作検出デバイス（１０）であって、ランプアッセンブリ（２０）、円筒形状のホールドアーム（３１）を有するジャンクションボックスアッセンブリ（３０）、センサーシート（４６）を含む回転アッセンブリ（４０）、パイロセンサー（４３）、及び電気回路、並びにレンズアッセンブリ（５０）を含み、検出範囲及び検出角度のために決定された所定のフォーカスビューを構成する所定のフォーカスを有する多数の多面レンズ（５２）によってレンズアッセンブリ（５０）が半球形状に形成され、該レンズアッセンブリ（５０）が特定のフォーカスビューを選択するために回転可能とされ、センサーシート（４６）が、放射される赤外線を受けるように選択されたフォーカスビューのフォーカスに配置されていることを特徴とする赤外線動作検出デバイス。
【請求項２】
赤外線動作検出デバイス（１０）であって、ランプアッセンブリ（２０）、円筒形状のホールドアーム（３１）を有するジャンクションボックスアッセンブリ（３０）、センサーシート（４６）を含む回転アッセンブリ（４０）、パイロセンサー（４３）、及び電気回路、並びにレンズアッセンブリ（５０）を含み、検出範囲及び検出角度のために決定された所定のフォーカスビューを構成する所定のフォーカスを有する多数の多面レンズ（５２）によってレンズアッセンブリ（５０）が円筒形状に形成され、該レンズアッセンブリ（５０）が特定のフォーカスビューを選択するために回転可能とされ、センサーシート（４６）が、放射される赤外線を受けるように選択されたフォーカスビューのフォーカスに配置されていることを特徴とする赤外線動作検出デバイス。
【請求項３】
前記レンズ（５２）は、ドット・レンズ構造によって形成される請求項１又は２記載の動作検出デバイス。
【請求項４】
前記レンズ（５２）は、フレネル・レンズ構造によって形成される請求項１又は２記載の動作検出デバイス。
【請求項５】
レンズアッセンブリ（５０）は、検出範囲と検出角度のために決定された４つの所定のフォーカスビューを構成している所定のフォーカスを有する４つの多面レンズ（５２）によって形成される請求項１又は２記載の動作検出デバイス。
【請求項６】
各フォーカスビューと対応しているレンズパターン（５５ａ〜５５ｄ)は、レンズアッセンブリ（５０）のドーム表面に向くように構成される請求項１記載の動作検出デバイス。
【請求項７】
多数のゾーン・インジケータマーク（５４）がレンズアッセンブリ（５０）のレンズフレーム（５１）の周囲に沿って設けられ、各ゾーン・インジケータマーク（５４）はフォーカスビューのエッジに配置される請求項１又は２記載の動作検出デバイス。
【請求項８】
メイン・プリント基板（ＰＣＢ）アッセンブリ（４５）は、すべてが電気的に接続されたセンサーシート（４６）とパイロセンサー（４３）とを含み、回転アッセンブリ（４０）に強固に取り付けられる請求項１又は２記載の動作検出デバイス。
【請求項９】
ランプアッセンブリ（２０）は、ビューゾーンと対向するために回転可能に構成され、回転アッセンブリは、ランプアッセンブリ（２０）と共に位置合わせするために回転可能に構成され、レンズアッセンブリ（５０）は、位置合わせされたランプアッセンブリ（２０）及び回転アッセンブリ（４０）と共に位置合わせするために回転可能に構成され、３つのアッセンブリ（２０，４０，５０）が、全体的にホールドアーム（３１）の中央軸に対して回転するようになっている請求項１又は２記載の動作検出デバイス。
【請求項１０】
ランプアッセンブリ（２０）は、回転アッセンブリ（４０）と共に固定されると共に、ビューゾーンに対向するために回転可能に構成され、レンズアッセンブリ（５０）は、固定されたランプアッセンブリ（２０）及び回転アッセンブリ（４０）と共に位置合わせするために回転可能に構成され、３つのアッセンブリ（２０，４０，５０）が、全体的にホールドアーム（３１）の中央軸に対して回転するようになっている請求項１又は２記載の動作検出デバイス。
【請求項１１】
２つのウイング（４４）は、センサーシート（４６）から所定の角度からの赤外線受信の限界まで外観上延びて形成されている請求項１又は２記載の動作検出デバイス。
【請求項１２】
センサーシート（４６）上の２つのウイング（４４）間の角度は、レンズアッセンブリ（５０）上のフォーカスビューの設計から検出の最大角度に対応するように構成されている請求項１１記載の動作検出デバイス。
【請求項１３】
セントラル・インジケータライン（４１）がメイン・ＰＣＢアッセンブリ（４５）のセンサーシート（４６）の中央に対応する回転アッセンブリ（４０）の周囲にマークされ、セントラル・インジケータライン（４１）からずれる２つのサイド・インジケータライン（４２）がフォーカスビューを決定するゾーン・インジケータマーク（５４）と対応するようにマークされている請求項１又は２記載の動作検出デバイス。
【請求項１４】
レンズアッセンブリ全体は、所定のフォーカスビューと共にレンズ（５２）を移動させるように構成されている請求項１又は２記載の動作検出デバイス。
【請求項１５】
レンズアッセンブリ（５０）の半分又は一部は、所定のフォーカスビューと共にレンズ（５２）を移動させるように構成されている請求項１又は２記載の動作検出デバイス。
【請求項１６】
ランプアッセンブリ（２０）、円筒形状のホールドアーム（３１）を有するジャンクションボックスアッセンブリ（３０）、センサーシート（４６）を含む回転アッセンブリ（４０）、パイロセンサー（４３）、及び電気回路、並びにレンズアッセンブリ（５０）を含んだ動作検出デバイス（１０）のために特定のフォーカスを選択する方法であって、異なるフォーカスビューを構成している所定のフォーカスを有する多数の多面レンズ（５２）を組み込んでレンズアッセンブリ（５０）を形成するステップと、各フォーカスビューのエッジが表示されているレンズアッセンブリ（５０）のレンズフレーム（５１）の周囲に沿ってゾーン・インジケータマーク（５４）を設けるステップと、回転アッセンブリ（４０）上にメイン・ＰＣＢアッセンブリ（４５）を強固に取り付け、内側で動作検出デバイス（１０）の前を向くようにセンサーシート（４６）を移動するステップと、回転アッセンブリ（４０）上にセントラル・インジケータライン（４１）及び２つのサイド・インジケータライン（４２）を設けるステップと、回転アッセンブリ（４０）上のセントラル・インジケータライン（４１）によってランプアッセンブリ（２０）の垂直軸を回転させて位置合わせするステップと、各フォーカスビューのエッジ上に表示された２つのサイド・インジケータライン（４２）によってレンズアッセンブリ（５０）上の２つのゾーン・インジケータマーク（５４）を回転させて位置合わせするステップとを含み、レンズアッセンブリ（５０）上のフォーカスビューが、動作検出デバイス（１０）のために回転して選択されることを特徴とする動作検出デバイスのために特定のフォーカスを選択する方法。
【請求項１７】
レンズアッセンブリ（５０）を形成するステップは、４つのフォーカスビューを構成する所定のフォーカスを有する４つの多面レンズ（５２）を組み込んで行う請求項１６記載の動作検出デバイスのために特定のフォーカスを選択する方法。
【請求項１８】
メイン・ＰＣＢアッセンブリ（４５）内で移動させるセンサーシート（４６）上に、外観上延びる２つのウイング（４４）を設けるステップと、レンズアッセンブリ（５０）上に設計されたフォーカスビューの検出の最大角度に２つのウイング（４４）間の角度を調整するステップとをさらに含む請求項１６記載の動作検出デバイスのために特定のフォーカスを選択する方法。
【請求項１９】
ビューゾーンと対向するためにランプアッセンブリ（２０）を回転させるステップと、ランプアッセンブリ（２０）と共に回転アッセンブリ（４０）を回転して位置合わせするステップと、位置合わせされたランプアッセンブリ（２０）及び回転アッセンブリ（４０）と共に位置合わせするために、レンズアッセンブリ（５０）を回転して位置合わせするステップとをさらに含み、３つのアッセンブリ（２０，４０，５０）が、全体的にホールドアーム（３１）の中央軸に対して回転する請求項１６記載の動作検出デバイスのために特定のフォーカスを選択する方法。
【請求項２０】
回転アッセンブリ（４０）にランプアッセンブリ（２０）を固定するステップと、ビューゾーンに対向するために固定されたランプアッセンブリ（２０）及び回転アッセンブリ（４０）を回転するステップと、固定されたランプアッセンブリ（２０）及び回転アッセンブリ（４０）と共にレンズアッセンブリ（５０）を回転して位置合わせするステップとをさらに含み、３つのアッセンブリ（２０，４０，５０）がホールドアーム（３１）の中央軸に対して全体的に回転する請求項１６記載の動作検出デバイスのために特定のフォーカスを選択する方法。
【発明の詳細な説明】
【技術分野】
【０００１】
本発明は、一般的な赤外線動作検出デバイスに関する。特には、個々に選択され得る異なったフォーカスビューを合成するレンズアッセンブリを含んだ動作検出デバイス、及び、特定のフォーカスビューを選択する方法に関する。
【背景技術】
【０００２】
従来の赤外線動作検出デバイスは、基本的に、円弧レンズアッセンブリと電気回路を備えたパイロセンサーとを含む。円弧レンズは、高密度ポリエチレン（ＨＤＰＥ）高分子材料から製造される。光学上の焦点は、フレネル構造、又はドット構造のレンズ上に設計されることができる。フレネル構造から作られた多くの面の重なった円弧レンズアッセンブリは、レイヤー中に配列された個々のフォーカスを有する多数の光学セグメントを含み、フォーカスビューを形成している。ドット構造から作られた多くの面が重なった円弧レンズアッセンブリは、レイヤー中の光学セグメントで提供される多数の光学フォーカスを含み、フォーカスビューを形成している。フォーカスビューは、検出範囲と同様に最大３６０°までの検出角度によって決定される。これは検出補償範囲として考慮され得る。
【０００３】
領域をカバーするのに導入する間、インストーラは、どのくらい動作検出デバイスがカバーするべきであるか、そしてどれほどの幅で動作検出デバイスが赤外線を受け取るべきであるかを考慮する。従って、フォーカスゾーンは、フォーカスビュー内の検出の角度と検出範囲／検出距離とによってカバーされる。
【０００４】
検出範囲を調節する従来技術の方法についての関連した問題がある。ある方法は、可変抵抗ノブの補助によって電子的な感度を調整することである。ノブの回転は、距離によって目盛り設定されないので、フィールド調整は多くの試行錯誤を必要とする。別の方法は、水平の回転及び鉛直な傾斜によって、検出デバイスを調整することである。図１に示す如く、水平方向の回転は回転ブラケット３３の補助によって達成される。図２に示す如く、鉛直方向の傾斜は、旋回ジョイント３５の補助によって達成される。回転又は傾斜は、距離によって目盛り設定されていないので、フィールド調整は多くの試行錯誤を必要とする。
【０００５】
従来の動作検出デバイスのレンズは、長い距離をカバーするトップレイヤーに光学レイヤーを含んでいる。短い範囲の反射を検出をするために、トップレイヤーは、通常マスキングされるかカバーされる。図３に示す如く、レンズ５２は、半球形状をなし、レンズ５２の両側に蝶着されたレンズマスキング手段５３は、レイヤー又はレンズ５２のより多くを選択的にカバーするために用いられる。レンズマスキング手段５３は、保護テープ又はスナップオンプラスチックシートのフォームの形態を採用し得る。このマスキングは、通常、導入後の製品全体における美的外観を視覚的に低下させることが顕著である。仮に動作検出デバイスが装飾照明器具に統合されるならば、推奨される取付け高さが入口又は建物の戸口の隣で一般に約１．８ｍを前提とされるため特に顕著である。
【０００６】
検出範囲の角度を調整する従来技術の方法についての関連した問題がある。検出角度は、レンズのフォーカスビューだけでなく動作検出デバイスに使われたパイロセンサーのデザイン（ビューのフィールドとして知られている）によって決定される。動作検出デバイスが公道に隣接する通路などの狭い領域をカバーするために向けられる状況において、カバーされたフォーカスゾーン、すなわち通路中のどのような動作でも赤外線を放射し、それはレンズのフォーカスビュー、及びそれ以後のパイロセンサーのビューのフィールドに拾われることになる。公道ではどのような赤外線も検出されるべきでなく、さもなければ、「誤報」が引き起こされる。ある通常の方法は、光学レンズの不必要なサイドセグメントをマスキングすることである。フォーカスゾーンからの赤外線だけがレンズの狭いフォーカスビューに入るように、レンズのフォーカスビューはその時短縮される。代わりに、レンズマスキング手段５３は、図３に示す如く、半球形状のレンズのセグメントを選択的にカバーするために採用される。
【発明の開示】
【発明が解決しようとする課題】
【０００７】
従来の動作検出デバイスの主な不都合は、レンズアッセンブリが実質的に永久的であり、それ故１つのフォーカスビューを使用するためだけに設計されることである。この機能は、現場での選択柔軟性を困難にする。実際には、物理的な方向性がカバーされていることが前提で、固定されたフォーカスビューを備えた従来技術は、導入のために最適に使用され得ない。それ故、異なる固定フォーカスビューを有する従来の動作検出デバイスは、それぞれに違いがあり、異なるスペアパーツの製造を要し、コストが高騰する。
【０００８】
本発明の主要な目的は、１つの固定フォーカスビューを含んでいる従来の動作検出デバイスの選択硬直性を解消することである。
【課題を解決するための手段】
【０００９】
それに応じて、本発明は、動作検出デバイスが、選択自在な多数のフォーカスビューを組み込まれていることを明らかにする。本発明の好適な態様において、４つのフォーカスビューがレンズアッセンブリを形成するために含まれ、それが回転可能である。レンズアッセンブリは半球形状、又は円筒形状にされ得る。センサーシート及びパイロセンサーは、このレンズアッセンブリのフォーカスで配置されると共に動作検出デバイスの電気回路の残りに接続可能に構成される。位置合わせを容易に行い、各フォーカスビューを正確に決定すべく、インジケータラインは、パイロセンサーと対応する回転アッセンブリの周囲に設けられる。ゾーン・インジケータマークは、位置合わせのためにレンズアッセンブリのレンズフレームの周囲に設けられる。ドット・レンズ構造またはフレネル・レンズ構造の異なるセグメントを積み重ねたレイヤーは、検出補償の異なる範囲及び角度を提供し、各セグメントは特定のフォーカスビューのために設計される。
【発明の効果】
【００１０】
本発明によれば、１つの固定フォーカスビューを含んでいる従来の動作検出デバイスの選択硬直性を解消することができる。
【発明を実施するための最良の形態】
【００１１】
本発明は、以下の図面を参照することにより、本発明の一実施形態のより多くの詳細が説明される。以下の説明において、同様の数字（符号）は、適用可能な従来技術と本発明中で同様のコンポーネントを示すために使われる。その他の点において、他の数字（符号）は、本発明において新しいコンポーネントを示すために使われる。
【００１２】
図４ａに示す如く、本発明の一実施形態に係るメインコンポーネントは、上から下に、ランプアッセンブリ２０、ホールドアーム３１を有するジャンクションボックスアッセンブリ３０、回転アッセンブリ４０、センサーシート４６及びパイロセンサー４３を有するメイン・プリント基板（ＰＣＢ）アッセンブリ４５、及び、半球形状又は円筒形状とされ得るレンズアッセンブリ５０を備えている。ランプアッセンブリ２０は、垂直スイベル３４及び水平スイベル３２の補助を有するホールドアーム３１の上端に回転可能に取り付けられている。該ホールドアーム３１は、円筒形状を呈している。垂直スイベル３４は、水平回転を円滑にする。水平スイベル３２は、ランプアッセンブリ２０の傾動を円滑にする。回転アッセンブリ４０は、ホールドアーム３１の下端に回転可能に取り付けられている。メイン・ＰＣＢアッセンブリ４５は、ねじ手段によって回転アッセンブリ４０に取り付けられている。メイン・ＰＣＢアッセンブリ４５は、このようにして回転アッセンブリ４０に固定されている。換言すれば、２つのアッセンブリ４０，４５は、一緒に移動し、ホールドアーム３１の中央軸周りで回転する。レンズアッセンブリ５０は、回転アッセンブリ４０の裏面から回転可能に突出している。レンズガスケット５６は、防水を図るべく、レンズアッセンブリ５０と回転アッセンブリ４０との間に挟まれている。ゾーン・インジケータマーク５４は、レンズフレーム５１又はレンズアッセンブリ５０の周囲に沿って設けられている。
【００１３】
図４ｂに示す如く、動作検出デバイス１０は、組み立てられる。ジャンクションボックスアッセンブリ３０は、動作検出デバイス１０に電力供給源を接続する。ジャンクションボックスアッセンブリ３０は、通常、壁又は柱に対して取り付けられて導入される。ランプアッセンブリ２０は、ホールドアーム３１上に配置され、該ホールドアーム３１の中央軸に対して回転可能である。それは、デバイスの一方側に回転される。回転アッセンブリ４０は、ホールドアーム３１下に配置され、ホールドアーム３１の中央軸周りで回転可能である。回転アッセンブリ４０上のセントラル・インジケータライン４１は、ランプアッセンブリ２０の垂直軸によって位置合わせされる。レンズアッセンブリ５０は、回転アッセンブリ４０の露出した端部の下部に回転可能に取り付けられる。レンズフレーム５１上のゾーン・インジケータマーク５４は、回転アッセンブリ４０上のサイド・インジケータライン４２によって位置合わせされる。それは、これらのアッセンブリ２０，４０，５０が３ステップで調整されることについて言及することが重要である。この３ステップの位置合わせは、本質的にランプアッセンブリ２０を回転させることによって達成され、フォーカスゾーンを対向させるには、ホールドアーム３１の中央軸周りで回転アッセンブリ４０を回転させ、回転アッセンブリ４０上のセントラル・インジケータライン４１によってランプアッセンブリ２０の垂直軸を位置合わせを行い、回転アッセンブリ４０上のサイド・インジケータライン４２によってレンズフレーム５１上のゾーン・インジケータマーク５４を位置合わせする。
【００１４】
再度、位置合わせ工程（ステップ）は、以下に説明される。ドット・垂直軸（鉛直な一点鎖線）が、ランプアッセンブリ２０上に示されている。回転アッセンブリ４０には、センサーシート４６を含んだメイン・ＰＣＢアッセンブリ４５が固定され、３つのインジケータライン４１，４２が設けられる（提供される）。セントラル・インジケータライン４１は、センサーシート４６の中央に対応し、２つのサイド・インジケータライン４２は、センサーシート４６上に設けられた２つのウイング４４の最大角度に対応する。位置合わせにより、ランプアッセンブリ２０の垂直軸は、第一にカバーされている物理的な環境で照準を合わせるために回転され、ランプアッセンブリ２０のドット・垂直軸、及び回転アッセンブリ４０のセントラル・インジケータライン４１は、次にライン内に配置され、レンズアッセンブリ５０のフォーカスビューを明確にしている２つのゾーン・インジケータマーク５４は、最終的に回転アッセンブリ４０上のサイド・インジケータライン４２によってライン内に配置される。動作検出デバイス１０全体は、このように位置合わせされる。それは、特別に設計されたフォーカスビューのエッジの間で、レンズアッセンブリ５０のレンズフレーム５１び周囲に沿ってゾーン・インジケータマーク５４が設けられることが重要である。回転アッセンブリ４０上の２つのサイド・インジケータライン４２によって２つの適切なゾーン・インジケータマーク５４を位置合わせすることで、特定のフォーカスビューが選択される。
【００１５】
図４ｃに示す如く、ランプアッセンブリ２０は、他のフォーカスゾーンと対向するためにデバイスの他方側に回転される。アッセンブリの残りは、同様に位置合わせされる。
【００１６】
図５ａ乃至図５ｄは、レンズアッセンブリ５０がそのフォーカスビューを選択するために手動で回転される本発明の４つの検出ポジションを示す。ランプアッセンブリ２０及び回転アッセンブリ４０は、同様に位置合わせされる。所定範囲及びフォーカスビューの検出角度に関連する検出位置は、レンズアッセンブリ５０の選択された光学セグメントのために設計される。それぞれの表面パターンは、半球形状のレンズアッセンブリ５０のドーム部分上で示される。
【００１７】
図６ａ乃至図６ｄは、様々なレンズ５２がレンズアッセンブリ５０を形成するために含まれていることを示し、４つのフォーカスビューを表している。４つのパターン５５ａ〜５５ｄは、４つのフォーカスビューに対応している。説明を容易にすべく、図において、センサーシート４６及びパイロセンサー４３は、レンズアッセンブリ５０の中央に配置されている。それは、センサーシート４６が一度位置合わせて実質的に不変であり、動作検出デバイス１０の前に向いたポジションであることが重要である。回転の上で、レンズアッセンブリ５０のパターン化されたセグメント、表された特定のフォーカスビューは、センサーシート４６の前に位置する。
【００１８】
この実施形態において、４つのフォーカスビューは明確にされ、即ち、（ａ）１２ｍと９０°、（ｂ）１２ｍと１５°、（ｃ）３ｍと９０°、及び、（ｄ）６ｍと９０°である。検出範囲は、短い範囲又は長い範囲のために設計される。例えば、 赤外放射線は３ｍから１２ｍの距離から受け取られる。カバーしているゾーンの角度は１５°〜９０°に及んでいる。赤外放射線は、広い又は狭いバックグラウンドから受け取られる。いくつかのフォーカスビューが狭く且つ長いのに対し、いくつかのフォーカスビューが広いことについては実用的な理由がある。本発明によれば、インストーラは動作検出デバイス１０上に４つのフォーカスビューの選択権を持っている。使用者は、それぞれの要件を満たすためにフィールド調整をすることができる。このような方法において、４つのフォーカスビューを有する本発明は、様々な状況を適応させるために導入されることができる。
【００１９】
動作検出デバイス１０のメインコンポーネントの組立図は、図７ａに部分的に示される。図７ｂに示す如く、レンズアッセンブリ５０のレンズ５２は、レンズフレーム５１に取り付けられ、該レンズフレーム５１は、回転アッセンブリ４０の下端開口に相対的に回転可能に取り付けている。
【００２０】
図８ａ乃至図８ｄに示す如く、メイン・ＰＣＢアッセンブリ４５のメインコンポーネントは、センサーシート４６、パイロセンサー４３、センサーＰＣＢ４８、ベースプレート４７を含み、これらが組み立てられ、回転アッセンブリ４０に取り付けられている。逆にされたポジションが示される。パイロセンサー４３及びセンサーＰＣＢ４８は、反転フック手段の補助により、センサーシート４６内に保持されている。センサーＰＣＢ４８は、その結果、ベースプレート４７に取り付けられる。それは、９０°以上で入ってくる赤外線を規定し且つ制限するように、センサーシート４６の前から外観上突出して設計されることが重要である。すなわち、図９に示す如く、これらの２つのウイング４４間の角度は、特定のフォーカスビューを決定する最大角度である。好適な実施形態において、９０°と１５°の４つのフォーカスビューが決定され、それ故、ウイング４４の角度は９０°まで作られる。別の例において、１２０°、１１０°、９０°、及び４０°の４つのフォーカスビューが設計され、それ故、２つのウイング４４間の角度が１２０°になる。
【００２１】
本発明の概念は、上述した実施形態に限定されるものではない。詳細部分の修正と変更は本発明の範囲内で可能である。
【００２２】
本発明の好適な実施形態において、レンズアッセンブリ５０のレンズ５２は、高密度ポリエチレンＨＤＰＥ材料で作られる。ドット・レンズ構造又はフレネル・レンズ構造５２もまた使用され得ることも重要である。本発明の好適な実施形態によると、レンズアッセンブリ５０全体がレンズを移動させる。レンズアッセンブリ５０は、所定の（予め定められた）フォーカスビューを有する４つの積層セグメント、又はレンズが組み込まれ、全てが一緒に作りあげられる。各フォーカスビューは、個々に所定の（予め定められた）フォーカスを有する多数の多面レンズ５２によって構成されている。
【００２３】
図１０に示す本発明の好適な別の実施形態において、レンズアッセンブリ５０の半分又は部分（一部）は、所定のフォーカスビューを有する光学セグメント又はレンズ５２を移動させる。
【００２４】
本発明の別の実施形態において、図１１に示す如く、レンズアッセンブリ５０は、円筒形状を前提とする。該レンズアッセンブリ５０の全体又は半分、或いは部分（一部）は、所定のフォーカスビューを有する光学セグメント又はレンズ５２を移動させる。
【００２５】
また、部分修正は、３ステップの位置合わせに適応することができる。２ステップの位置合わせにおいて、ランプアッセンブリ２０の垂直軸は、回転アッセンブリ４０上のセントラル・インジケータライン４１によって第一に位置合わせされ、それ故に、２つのアッセンブリは、一緒に移動するために固定される。次いで、レンズアッセンブリ５０上のゾーン・インジケータマーク５４は、回転アッセンブリ４０上のサイド・インジケータライン４２によって位置合わせされる。
【００２６】
また、本発明は、動作検出デバイスのために具体的なフォーカスビューを選択する方法を教授する。
【００２７】
ランプアッセンブリ２０、円筒形状のホールドアーム３１を有するジャンクションボックスアッセンブリ３０、センサーシート４６を組み入んだ回転アッセンブリ４０、パイロセンサー４３、及び電気回路、並びにレンズアッセンブリ５０から構成される動作検出デバイス１０のために特定のフォーカスビューを選択する方法は、レンズアッセンブリ５０を形成するために、異なるフォーカスビューを構成する所定のフォーカスを有する多数の多面レンズ５２を組み入んで作り上げるステップ、各フォーカスビューのエッジを示しているレンズアッセンブリ５０のレンズフレーム５１の周囲に沿ってゾーン・インジケータマーク５４を設けるステップ、回転アッセンブリ４０上に恒久的にメイン・ＰＣＢアッセンブリ４５を取り付けると共に、内側で動作検出デバイス１０の前に向けるためにセンサーシート４６を移動させるステップと、回転アッセンブリ４０上のセントラル・インジケータライン４１と２本のサイド・インジケータライン４２とを設けるステップと、回転アッセンブリ４０上のセントラル・インジケータライン４１によってランプアッセンブリ２０垂直軸を回転させて位置合わせするステップと、各フォーカスビューのエッジを示している２本のサイド・インジケータライン４２によってレンズアッセンブリ５０上の２つのゾーン・インジケータマーク５４を回転させて位置合わせするステップとを含み、レンズアッセンブリ５０上のフォーカスビューは、動作検出デバイス１０のために回転して選択される。
【００２８】
動作検出デバイス１０のために特定のフォーカスビューを選択する方法は、レンズアッセンブリ５０を形成するために４つのフォーカスビューを構成する所定のフォーカスを有する４つの多面レンズ５２を組み込んで作り上げるステップをさらに含む。
【００２９】
動作検出デバイス１０のために特定のフォーカスビューを選択する方法は、メイン・ＰＣＢアッセンブリ４５を内側で移動するセンサーシート４６上に外観上延びる２つのウイング４４を設けるステップと、レンズアッセンブリ５０上に設計されたフォーカスビューの検出最大角度のために２つのウイング４４間の角度を調整するステップとを更に含む。
【００３０】
動作検出デバイス１０のために特定のフォーカスビューを選択する方法は、ビューゾーンに対向するためにランプアッセンブリ２０を回転するステップと、ランプアッセンブリ２０を有する回転アッセンブリ４０を回転して位置合わせするステップと、ランプアッセンブリ２０及び回転アッセンブリ４０を位置合わせし、レンズアッセンブリ５０を回転して位置合わせするステップとを更に含み、ホールドアーム３１の中央軸に対して３つのアッセンブリ２０，４０，５０が全体的に回転する。
【００３１】
動作検出デバイス１０のために特定のフォーカスビューを選択する方法は、回転アッセンブリ４０と共にランプアッセンブリ２０を固定するステップと、ビューゾーンが対向するために、固定されたランプアッセンブリ２０及び回転アッセンブリ４０を回転するステップと、固定されたランプアッセンブリ２０及び回転アッセンブリ４０と共にレンズアッセンブリ５０を回転して位置合わせするステップとを含み、ホールドアーム３１の中央軸周りで、３つのアッセンブリ２０，４０，５０が全体的に回転する。
【図面の簡単な説明】
【００３２】
【図１】図１は、固定されたレンズアッセンブリが水平に回転する従来の動作検出デバイスの斜視図を示す。
【図２】図２は、固定されたレンズアッセンブリが垂直に傾く従来の動作検出デバイスの側面図を示す。
【図３】図３は、レンズマスキング手段を備えた従来技術における半球状のレンズアッセンブリの斜視図を示す。
【図４ａ】図４ａは、本発明に係る動作検出デバイスの一実施例の主要なコンポーネントの組立図を示す。
【図４ｂ】図４ｂは、一方側にターンされた一実施例の斜視図を示す。
【図４ｃ】図４ｃは、他方側にターンされた一実施例の斜視図を示す。
【図５ａ】図５ａは、１２ｍ，９０°のゾーンのために選択された動作検出デバイスの最初の検出ポジションを示す。
【図５ｂ】図５ｂは、１２ｍ，１５°のゾーンのために選択された動作検出デバイスの第２番目の検出ポジションを示す。
【図５ｃ】図５ｃは、３ｍ，９０°のゾーンのために選択された動作検出デバイスの第３番目の検出ポジションを示す。
【図５ｄ】図５ｄは、６ｍ，９０°のゾーンのために選択された動作検出デバイスの第４番目の検出ポジションを示す。
【図６ａ】図６ａは、センサーシートが対向するレンズアッセンブリ上の表面パターンに１２ｍ，９０°のフォーカスビューが示されたレンズアッセンブリの平面図を示す。
【図６ｂ】図６ｂは、センサーシートが対向するレンズアッセンブリ上の表面パターンに１２ｍ，１５°のフォーカスビューが示されたレンズアッセンブリの平面図を示す。
【図６ｃ】図６ｃは、センサーシートが対向するレンズアッセンブリ上の表面パターンに３ｍ，９０°のフォーカスビューが示されたレンズアッセンブリの平面図を示す。
【図６ｄ】図６ｄは、センサーシートが対向するレンズアッセンブリ上の表面パターンに６ｍ，９０°のフォーカスビューが示されたレンズアッセンブリの平面図を示す。
【図７ａ】図７ａは、ランプアッセンブリとジャンクションボックスアッセンブリとに接続された回転アッセンブリの部分的な横断面図を示す。
【図７ｂ】図７ｂは、図７ａの部分拡大図であって、レンズがレンズフレーム及び回転アッセンブリにどのように取り付けられるのかを部分的に示している。
【図８ａ】図８ａは、レンズアッセンブリ中に配置されると共に、回転アッセンブリに恒久的に取り付けられるセンサーシートを含んでいるメイン・プリント基板（ＰＣＢ）アッセンブリを形成するコンポーネントを逆さにした分解組立図を示す。
【図８ｂ】図８ｂは、メイン・ＰＣＢアッセンブリを逆さにした組立図を示す。
【図８ｃ】図８ｃは、センサーシート及びパイロセンサーを強調したメイン・ＰＣＢアッセンブリの平面図を示す。
【図８ｄ】図８ｄは、図８ｃのセンサーシート、パイロセンサー、及びセンサーＰＣＢを強調表示した拡大平面図を示す。
【図９】図９は、半球形状のレンズアッセンブリの中央に配置されているセンサーシートの部分斜視図を示す。
【図１０】図１０は、本発明の係る動作検出デバイスの他実施例の側面図を示し、半球形状のレンズアッセンブリの半分がレンズを移動させるように構成されている。
【図１１】図１１は、本発明に係る動作検出デバイスの別の実施例の側面図を示し、レンズアッセンブリが円筒形状を呈する。
【符号の説明】
【００３３】
１０…動作検出デバイス
２０…ランプアッセンブリ
３０…ジャンクションボックスアッセンブリ
３１…ホールドアーム
３２…水平スイベル
３３…回転ブラケット
３４…垂直スイベル
３５…旋回ジョイント
４０…回転アッセンブリ
４１…セントラル・インジケータライン
４２…サイド・インジケータライン
４３…パイロセンサー
４４…ウイング
４５…メイン・プリント基板（ＰＣＢ）アッセンブリ
４６…センサーシート
４７…ベースプレート
４８…センサーＰＣＢ
５０…レンズアッセンブリ
５１…レンズフレーム
５２…レンズ（多面レンズ）
５３…レンズマスキング手段
５４…ゾーン・インジケータマーク
５６…レンズガスケット
【図１】
2006329970.tif 000003
【図２】
2006329970.tif 000004
【図３】
2006329970.tif 000005
【図４ａ】
2006329970.tif 000006
【図４ｂ】
2006329970.tif 000007
【図４ｃ】
2006329970.tif 000008
【図５ａ】
2006329970.tif 000009
【図５ｂ】
2006329970.tif 000010
【図５ｃ】
2006329970.tif 000011
【図５ｄ】
2006329970.tif 000012
【図６ａ】
2006329970.tif 000013
【図６ｂ】
2006329970.tif 000014
【図６ｃ】
2006329970.tif 000015
【図６ｄ】
2006329970.tif 000016
【図７ａ】
2006329970.tif 000017
【図７ｂ】
2006329970.tif 000018
【図８ａ】
2006329970.tif 000019
【図８ｂ】
2006329970.tif 000020
【図８ｃ】
2006329970.tif 000021
【図８ｄ】
2006329970.tif 000022
【図９】
2006329970.tif 000023
【図１０】
2006329970.tif 000024
【図１１】
2006329970.tif 000025